【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
シグナリング調整のための方法であって、
ユーザ機器(UE)上のアプリケーションによって生成された接続信号をアプリケーションサーバに周期的に送信するステップであって、前記接続信号は、前記アプリケーションが到達可能であることを示す、ステップと、
前記UEのモデムによって、前記UEの前記モデムによって決定された1つまたは複数のチャネルメトリクスおよび現在の到達可能性状態との以前の到達可能性状態の比較に少なくとも部分的に基づいて、前記UEの到達可能性状態の変化を識別するステップと、
アプリケーションプログラミングインターフェースを介して、前記モデムから前記UE上の前記アプリケーションに前記到達可能性状態の前記変化の指示を提供するステップであって、前記アプリケーションは、前記モデムから独立している、ステップと、
前記UEによって、前記UE上の前記アプリケーションから前記アプリケーションサーバへの前記接続信号の前記送信を調整するステップであって、前記調整は、前記モデムと通信している前記インターフェースを介して前記アプリケーションに提供された前記到達可能性状態の前記識別された変化に応答して、前記UEによって直接実行される、ステップと、
前記調整された送信に従って前記接続信号を送信するとともに、ネットワークエンティティを通じて前記アプリケーションサーバに前記到達可能性状態の前記変化の指示を送信するステップであって、前記到達可能性状態の前記変化の前記指示は、前記アプリケーションサーバが前記UEからの接続信号の送信の予想を調整する必要があることを示す、ステップと
を含む方法。
【請求項２】
前記モデムから前記インターフェースを介して前記UEのオペレーティングシステムに前記到達可能性状態の前記変化の前記指示を提供するステップをさらに含む、請求項1に記載の方法。
【請求項３】
前記到達可能性状態の前記変化を識別するステップは、前記到達可能性状態の前記以前の状態に少なくとも部分的に基づいて前記到達可能性状態の前記現在の状態を判断するためのしきい値を調整することによってヒステリシスを適用するステップを含む、請求項1に記載の方法。
【請求項４】
前記1つまたは複数のチャネルメトリクスは信号品質メトリックを含む、請求項1に記載の方法。
【請求項５】
前記1つまたは複数のチャネルメトリクスは信号強度メトリックを含む、請求項1に記載の方法。
【請求項６】
前記到達可能性状態の前記変化を識別するステップは、前記到達可能性状態が強状態に変化したと判断するステップを含み、
アプリケーションサーバへの接続信号の前記送信を調整するステップは、前記強状態にあるときに前記アプリケーションサーバに送信される前記接続信号の数を低減するステップを含む、請求項1に記載の方法。
【請求項７】
前記到達可能性状態の前記変化を識別するステップは、前記到達可能性状態が弱状態に変化したと判断するステップを含み、
前記アプリケーションサーバへの接続信号の前記送信を調整するステップは、前記弱状態にあるときに前記アプリケーションサーバに前記接続信号を周期的に送信するステップを含む、請求項1に記載の方法。
【請求項８】
前記到達可能性状態の前記変化を識別するステップは、前記到達可能性状態が範囲外れ状態に変化したと判断するステップを含み、
前記アプリケーションサーバへの接続信号の前記送信を調整するステップは、前記範囲外れ状態にあるときにイベントトリガに応答して前記アプリケーションサーバに前記接続信号を送信するステップを含む、請求項1に記載の方法。
【請求項９】
前記アプリケーションは第1のアプリケーションであり、前記方法は、前記到達可能性状態の前記変化に少なくとも部分的に基づいて、前記UE上の第2のアプリケーションから異なるアプリケーションサーバへの接続信号の送信を調整するステップをさらに含む、請求項1に記載の方法。
【請求項１０】
前記アプリケーションサーバへの接続信号の前記送信を調整するステップは、前記送信を接続信号の周期的送信から接続信号の非周期的送信に調整するステップを含む、請求項1に記載の方法。
【請求項１１】
前記到達可能性状態の前記変化を識別するステップは、前記到達可能性状態が強状態に変化したと判断するステップを含み、
アプリケーションサーバへの接続信号の送信を調整するステップは、前記強状態にあるときに前記アプリケーションサーバに前記接続信号の非周期的送信を実行するステップを含む、請求項1に記載の方法。
【請求項１２】
ユーザ機器(UE)内に含まれるプロセッサまたは処理システムによって実行されるとき、前記UEに、
前記UE上のアプリケーションによって生成された接続信号をアプリケーションサーバに周期的に送信するステップであって、前記接続信号は、前記アプリケーションが到達可能であることを示す、ステップと、
前記UEのモデムによって、前記UEの前記モデムによって決定された1つまたは複数のチャネルメトリクスおよび現在の到達可能性状態との以前の到達可能性状態の比較に少なくとも部分的に基づいて、前記UEの到達可能性状態の変化を識別するステップと、
アプリケーションプログラミングインターフェースを介して、前記モデムから前記UE上の前記アプリケーションに前記到達可能性状態の前記変化の指示を提供するステップであって、前記アプリケーションは、前記モデムから独立している、ステップと、
前記UE上の前記アプリケーションから前記アプリケーションサーバへの前記接続信号の前記送信を調整するステップであって、前記調整は、前記モデムと通信している前記インターフェースを介して前記アプリケーションに提供された前記到達可能性状態の前記識別された変化に応答して、前記UEによって直接実行される、ステップと、
前記調整された送信に従って前記接続信号を送信するとともに、ネットワークエンティティを通じて前記アプリケーションサーバに前記到達可能性状態の前記変化の指示を送信するステップであって、前記到達可能性状態の前記変化の前記指示は、前記アプリケーションサーバが前記UEからの接続信号の送信の予想を調整する必要があることを示す、ステップと、
を行わせるコードを含む非一時的コンピュータ可読記憶媒体。
【請求項１３】
シグナリング調整のための装置であって、
ユーザ機器(UE)上のアプリケーションによって生成された接続信号をアプリケーションサーバに周期的に送信するように構成された送信機であって、前記接続信号は、前記アプリケーションが到達可能であることを示す、送信機と、
1つまたは複数のチャネルメトリクスを決定し、前記1つまたは複数のチャネルメトリクスおよび現在の到達可能性状態との以前の到達可能性状態の比較に少なくとも部分的に基づいて、前記UEの到達可能性状態の変化を識別するように構成されたモデム構成要素と、
前記モデム構成要素からプロセッサによって実行されるアプリケーションに前記UEの前記到達可能性状態の前記変化の指示を提供するアプリケーションプログラミングインターフェースを介して、前記送信機および前記モデム構成要素に通信可能に結合されたプロセッサであって、前記アプリケーションは、前記モデム構成要素から独立しており、前記プロセッサは、
前記UE上の前記アプリケーションから前記アプリケーションサーバへの前記接続信号の前記送信を調整するよう構成され、前記調整は、前記アプリケーションに提供された前記到達可能性状態の前記識別された変化に応答して、前記UEによって直接実行される、プロセッサとを備え、
前記送信機は、前記調整された送信に従って前記接続信号を送信するとともに、ネットワークエンティティを通じて前記アプリケーションサーバに到達可能性状態インジケータの変化を送信するように構成され、前記到達可能性状態インジケータの変化は、前記アプリケーションサーバが前記UEからの接続信号の送信の予想を調整する必要があることを示す、装置。
【請求項１４】
前記モデム構成要素は、前記到達可能性状態の以前の状態に少なくとも部分的に基づいて前記到達可能性状態の現在の状態を判断するためのしきい値を調整することによってヒステリシスを適用するように構成される、請求項13に記載の装置。
【請求項１５】
前記1つまたは複数のチャネルメトリクスは信号品質メトリックを含む、請求項13に記載の装置。
【請求項１６】
前記1つまたは複数のチャネルメトリクスは信号強度メトリックを含む、請求項13に記載の装置。
【請求項１７】
前記モデム構成要素は、前記到達可能性状態が変化したと判断するように構成される、請求項13に記載の装置。
【請求項１８】
前記アプリケーションは、第1のアプリケーションであり、前記アプリケーションプログラミングインターフェースは、前記モデム構成要素から前記UE上の第2のアプリケーションに到達可能性状態の変化の指示を提供するようにさらに構成され、前記プロセッサは、前記到達可能性状態の前記変化に少なくとも一部基づいて、前記UE上の第2のアプリケーションから異なるアプリケーションサーバへの接続信号の送信を調整するようにさらに構成される、請求項13に記載の装置。